(57)【特許請求の範囲】
【請求項１】
プラグピンと前記プラグピンを包囲するプラグシールドを備えたアンテナプラグが着脱自在に接続され、
シールドプレートと、
前記シールドプレートに設けられ、前記プラグシールドが挿入されるソケットシールドと、
絶縁ベースと、
前記絶縁ベースに設けられ、前記プラグピンが挿入される中心孔を備えた絶縁ソケットと、
前記絶縁ソケットの内部に設けられ、前記プラグピンに電気接続されるコンタクトとを備え、
前記シールドプレートは、前記絶縁ベースの前面に配置され、
前記絶縁ソケットは、前記シールドプレートに形成した開口を通して前記絶縁ベースの前面に突出し、
前記ソケットシールドは、前記プラグシールドに電気接続するための筒状であり、その軸方向の全長に亘るスリットを有するアンテナソケットであって、
前記ソケットシールドの後端縁に設けられ、その周方向に順に離間する第１突片、第３突片、第２突片とを有し、
前記第１突片、前記第２突片、前記第３突片が前記シールドプレートに固定され、
前記第１突片、前記第２突片は前記スリットの両側に位置し、前記ソケットシールドで前記スリットから前記第１突片及び前記第２突片に至る部分が、前記プラグシールドの外周へ弾性的に接触する弾性片として規定され、
前記第３突片は前記第１突片や前記第２突片から見て上記スリットと反対側に位置し、前記第１突片と前記第２突片はその間にスリットを介在させて円周に沿って離間し、その距離は前記第３突片から前記第１突片や前記第２突片までの周長よりも大きくなるものであり、
前記後端縁が前記第１突片、前記第２突片、前記第３突片によって前記シールドプレートに固定されることを特徴とするアンテナソケット。
【請求項２】
上記の各弾性片は、ソケットシールドの中心からの径が、上記の第１突片や第２突片から離れるに従って、次第に小さくなったことを特徴とする請求項１に記載のアンテナソケット。
【請求項３】
上記の弾性片は楕円軌跡の一部に沿って湾曲したことを特徴とする請求項２に記載のアンテナソケット。
【請求項４】
上記２つの弾性片の周長が等しいことを特徴とする請求項１から３のいずれかに記載のアンテナソケット。
【請求項５】
上記の第１突片、第３突片、第２突片が９０度の角度で互いに離間したことを特徴とする請求項１〜４のいずれかに記載のアンテナソケット。
【請求項６】
上記ソケットシールドは第１突片から第３突片を経て第２突片に至る部分で、ソケットシールドの中心からの径が一定となったことを特徴とする請求項１〜５のいずれかに記載のアンテナソケット。
【請求項７】
上記シールドプレートに、上記開口の周縁に沿って、３つのスロットが形成され、上記の第１、第２、第３の突片がそれぞれ上記のスロットを貫通してシールドプレート上にかしめることでソケットシールドがシールドプレートへ固定されたことを特徴とする請求項１〜６のいずれかに記載のアンテナソケット。
【発明の詳細な説明】
【技術分野】
【０００１】
本発明は、アンテナプラグが着脱自在に接続されるアンテナソケット、更に詳しくは、テレビ信号を伝える同軸ケーブルの一端に設けられたアンテナプラグが着脱自在に接続されるアンテナソケットに関するものである。
【背景技術】
【０００２】
特許文献１は、テレビ信号用の同軸ケーブルの一端に設けたアンテナプラグが着脱自在に接続されるアンテナソケットを開示している。アンテナプラグは、同軸ケーブルの内部導体に電気接続されたプラグピンと同軸ケーブルの外部導体に電気接続されてプラグピンを包囲する筒状のプラグシールドとで構成される。このアンテナソケットは、アンテナプラグのプラグピンに接続されるコンタクトと、プラグシールドに接続される筒状のソケットシールドを有する。ソケットシールドはその後端縁に形成した２つの突片によってアンテナソケット内部に配置さえたシールドプレートへ固定されている。ソケットシールドの周上の一部には軸方向の全長に亘るスリットが形成されて、スリットの両側の部分に幾分かの弾性変形能が与えられた弾性片が形成される。この弾性片がプラグシールドの外周に弾性的に押さえつけられることでプラグシールドとソケットシールドとの電気接続が計られている。  
【先行技術文献】
【特許文献】
【０００３】
【特許文献１】特開２００１−１３５４３０
【発明の概要】
【発明が解決しようとする課題】
【０００４】
上記のアンテナソケットでは、ソケットシールドが後端縁に設けた互いに１８０度離間した２つの突片のみでシールドプレートに固定されているため、ソケットシールドの固定力が弱くなりがちで、アンテナプラグの装着時に加わる外力に耐えることができなくなる虞がある。また、スリットはこの２つの突片間に形成されているため、スリットと突片との間の部分が弾性変形能を有する弾性片となるものの、２つの突片との間でスリットを含まない部分にも、幾分かの弾性変形能が与えられているため、プラグシールドとソケットシールドとの間の寸法誤差が原因で、この部分の一点のみでプラグシールドに接触し、弾性片がプラグシールドに接触しない場合も起こりうる。この場合は、本来的に２つの弾性片に期待される確実な接触が得られず、電気接続が不安定になる虞がある。
【０００５】
本発明は、上記の問題点に鑑みてなされたものであり、その目的とするところは、プラグシールドとソケットシールドとの間に多少の誤差があっても、両者の間に確実な電気接続が与えられるアンテナソケットを提供することである。
【０００６】
この目的を達成するために、本発明は、ソケットシールドのシールドプレートへの結合力を高めると同時に、ソケットシールドに形成する一対の弾性片以外の部分の弾性変形能を制限して、弾性片のみに弾性変形能を集中的に付与するとする技術的課題に基づいて発明されたものである。
【課題を解決するための手段】
【０００７】
本発明に係るアンテナソケットは、プラグピンとこのプラグピンを包囲するプラグシールドを備えたアンテナプラグが着脱自在に接続されるものであり、上記の技術的課題を実現するための構成を備える。このアンテナソケットは、プラグピンが挿入される中心孔を備えた絶縁ソケットを有する絶縁ベースと、プラグシールドが挿入されるソケットシールドを有するシールドプレートとで構成される。上記絶縁ソケットの中心孔には、プラグピンに電気接続されるコンタクトが備えられる。上記シールドプレートは上記絶縁ベースの前面に配置される。上記絶縁ソケットは、上記シールドプレートに形成した開口を通して前方に突出するように構成される。上記プラグシールドには、上記絶縁ソケットを包囲する形で突出してプラグシールドに電気接続されるための筒状のソケットシールドが結合される。上記ソケットシールドにその軸方向の全長に亘るスリットが形成され、上記ソケットシールドの後端縁に第１突片、第３突片、第２突片が周方向に順に離間する形で形成される。上記後端縁は、第１突片、第２突片、第３突片によって上記シールドプレートに固定される。
【０００８】
上記第1突片、第2突片は上記スリットの両側に位置し、上記ソケットシールドで上記スリットから第１突片及び第２突片に至る部分が、プラグシールドの外周へ弾性的に接触する弾性片として規定される。上記第3突片は第1突片や第2突片から見て上記スリットと反対側に位置し、上記第1突片と第2突片はその間にスリットを介在させて円周に沿って離間し、その距離は第３突片から第1突片や第2突片までの周長（円周の長さ）よりも大きくなっている。
【０００９】
すなわち、本発明のアンテナソケットでは、筒状のソケットシールドが周縁に沿って離間した３つの突片によってシールドプレートに固定され、上記第1突片と第2突片はその間にスリットを介在させて円周に沿って離間し、その距離は第３突片から第1突片や第2突片までの周長よりも大きくなったことを技術的特徴として、上記の技術的課題を実現して、上記の目的を達成したものである。
【００１０】
本発明の好ましい態様によれば、上記の各弾性片は、ソケットシールドの中心からの径が、上記の第１突片や第２突片から離れるに従って、次第に小さくなったことを特徴とする。この場合、プラグシールドとの接触時には、一対の弾性片に大きな変位量が与えられ、この変位に基づく弾性復元力によって、より確実なプラグシールドへの電気接続を得ることができる。
【００１１】
これに関連して、弾性片は楕円軌跡の一部に沿って湾曲したことが、ソケットシールドの設計を容易にする上で、利点となる。
【００１２】
また、２つの弾性片は互いの周長が等しいことが、プラグシールドとの安定した電気接続を得る上で有効である。
【００１３】
更に好ましくは、上記の第１突片、第３突片、第２突片が９０度の角度で互いに離間するようにソケットシールドが構成される。これにより、第１突片から第３突片を経て第２突片に至る部分のソケットシールドでの弾性変形能をより確実に制限できて、弾性片によるプラグシールドとの電気接続が安定する。
【００１４】
また、上記ソケットシールドは第１突片から第３突片を経て第２突片に至る部分で、ソケットシールドの中心からの径が一定であることが好ましい。これにより、円形であるプラグシールドの外周に合致する部分が確保され、プラグシールドとの接続が容易となる。
【００１５】
更に、ソケットシールドは各突片をシールドプレートに設けた３つのスロットを貫通させてシールドプレート上に折り曲げることでシールドプレートに固定することが望ましい。これにより、ソケットシールドのシールドプレートへの結合が容易となる。
【発明の効果】
【００１６】
筒状のソケットシールドが周縁に沿って離間した３つの突片によってシールドプレートに固定され、上記第1突片と第2突片はその間にスリットを介在させて円周に沿って離間し、その距離は第３突片から第1突片や第2突片までの周長よりも大きくなったことを技術的特徴として、プラグシールドとソケットシールドとの間に多少の誤差があっても、両者の間に確実な電気接続が与えられるアンテナソケットを提供する。
【図面の簡単な説明】
【００１７】
【図１】本発明の一実施形態に係るアンテナソケットを前方から見た斜視図。
【図２】同上のアンテナソケットを背面側から見た斜視図。
【図３】同上のアンテナソケットに使用される同軸ケーブルを示す説明図。
【図４】同上のアンテナソケットの要部を示す分解斜視図。
【図５】同上のアンテナソケットに接続されるアンテナプラグを示す概略図。
【図６】同上のアンテナソケットを構成するソケットモジュールを示す斜視図。
【図７】同上のアンテナソケットに使用するソケットシールドを示す斜視図。
【図８】同上のソケットシールドの背面図。
【図９】同上のソケットシールドにおける突片の位置が異なる変更態様を示す概略図。
【図１０】同上のソケットシールドにおける突片の位置が異なる変更態様を示す概略図。
【図１１】同上のソケットシールドにおける突片の個数が異なる変更態様を示す概略図。
【発明を実施するための形態】
【００１８】
本発明の一実施形態に係るアンテナソケット１００は、図５に示すような、プラグピン２１とこのプラグピン２１を包囲するプラグシールド２２を備えたアンテナプラグ２０を受けるように構成される。
【００１９】
図１、２に示すように、アンテナソケット１００は、例えば、壁面に埋め込まれる形で使用され、屋内に配線されたＴＶ信号用の同軸ケーブル１０と背面で接続され、前面でテレビジョンに至る同軸ケーブルの一端のアンテナプラグ２０と着脱自在に結合される。
【００２０】
図４、６に示すように、アンテナソケット１００は、アンテナプラグ２０が挿入される挿入口３１を有するハウジング３０と、ソケットモジュール９０とを備える。
【００２１】
ソケットモジュール９０は、ハウジング３０の背面を覆う導電性金属製のシールドフレーム８０と、シールドフレーム８０へ電気的に接続される導電性金属製のシールドプレート５０と、両者の間に保持される絶縁ベース６０とで構成される。シールドプレート５０は、上端に設けた爪５３をシールドフレーム８０の孔８２に嵌め込んで、シールドフレーム８０に固定される。シールドフレーム８０の側片には爪８３が形成され、この爪８３がハウジング３０の側片の孔３２に嵌まることで、ソケットモジュール９０がハウジング３０に固定される。
【００２２】
絶縁ベース６０は電気絶縁材料で形成され、前面プラグピン２１が挿入される絶縁ソケット６１を備え、この絶縁ソケット６１はシールドプレート５０の開口５１を通して前方へ突出する。
【００２３】
絶縁ソケット６１の中心孔６２には、シールドフレームの背面に接続される同軸ケーブル１０の内部導体へ電気的に接続されるコンタクト７０の前端に形成したピン受け７１が収められて、プラグピンと電気接続される。コンタクト７０の後端には同軸ケーブルの内部導体が挿入される端子７２が形成され、シールドフレーム８０に固定される端子ケース６５内にこの端子７２が保持される。端子ケース６５は電気絶縁材料で形成され、シールドフレーム８０の開口部８１を通して後方に突出する部分に、下面に開口する挿入口が形成され、この挿入口に挿入される同軸ケーブルの内部導体に端子７２が電気接続される。この同軸ケーブルは、シールドフレーム８０の背面へねじ８６によって固定される押さえ金具８５によってシールドフレーム８０の背面に沿った形で固定され、同軸ケーブルの外部導体がシールドフレーム８０に電気接続される。
【００２４】
シールドプレート５０は絶縁ベース６０の前面を覆い、絶縁ベースの前方に突出する絶縁ソケット６１を包囲する筒状のソケットシールド４０を保持する。このソケットシールド４０は絶縁ソケット６１と所定距離で離間し、その内周面でアンテナプラグ２０のプラグシールド２２の外周に接触して、両者の電気接続がなされる。ソケットシールド４０はシールドプレート５０と同種の導電性金属からシールドプレート５０と別に成型され、後端縁に形成した突片４４，４５、４６をシールドプレート５０に形成したスロット５２を通して折り返すことにより、シールドプレート５０にかしめ固定される。
【００２５】
図７、８に示すように、ソケットシールド４０には、軸方向の全長に走るスリット４１が形成され、スリット４１の両側に幾分からの弾性変形能を付与している。ソケットシールド４０の後端縁に形成した突片は、周方向にそって離間した第１突片４４、第２突片４５、第３突片４６であり、第１突片４４と第２突片４５がスリット４１の両側に位置し、ソケットシールド４０において、スリット４１から第１突片４４及び第２突片４５に至る部分がプラグシールドの外周へ弾性的に接触する一対の弧状となった弾性片４２を規定している。第３突片４６は第１突片４４や第２突片４５からみてスリットと反対側に位置し、ソケットシールド４０において第１突片から第３突片４６を経て第２突片４５に至る部分が実質的に弾性変形能を有さない固定部分となる。
【００２６】
第３突片４６は、ソケットシールド４０の中心を基準として、第１突片４４と第２突片４５から９０度の角度範囲で離間される。スリット４１は第３突片４６と１８０度離れた位置に設けられ、両弾性片の周長（円周の長さ）が等しい。ソケットシールドの内径は９．０〜１０．０mm程度、厚みは、０．５mm程度で、スリット４１の幅は、１．０mm程度と設定される。
【００２７】
第１突片４４から第３突片４６を経て第２突片４５に至る部分は、ソケットシールド４０の中心からの径が一定とされている。
【００２８】
各弾性片４２は、ソケットシールド４０の中心からの径が、第１突片４４や第２突片４５から離れるに従って次第に小さくなるように、楕円形跡の一部に沿って湾曲しており、プラグシールドの外周への接触力を高めている。すなわち、真円形状のプラグシールドが挿入されたときに、プラグシールドから弾性片４２を外側へ変位させる力が働き、この変位に抵抗する力によって、弾性片４２とプラグシールドとの接触力が高められる。
【００２９】
ソケットシールド４０の前端縁には、斜め外方に延出する複数のガイド片が形成され、ソケットシールド４０内へのプラグシールドの挿入を容易としている。このガイド片は周方向に沿って離間しており、スリット４１の両側のガイド片は、その他のガイド片の周長よりも短く設定されている。第１突片４４や第２突片４５に対応する周上の点を超えて弾性片４２側に延出するガイド片は、スリット４１の両側のガイド片と隔離されており、弾性片の弾性変形能が、スリット４１の両側のガイド片がある部分に多く与えられるように機能している。
【００３０】
尚、上述の実施形態では、弾性片が楕円軌跡の一部に沿って湾曲する例を示したが、本発明は、必ずしもこの形態に限定されるものではなく、ソケットシールドの中心迄の距離がスリットに近づくにつれて次第に小さくなるのであれば、その他の軌跡に沿って湾曲するようにしてもよい。
【００３１】
また、本実施形態では、ソケットシールドにおける３つの突片を９０度離間させて配置した例をしめしたが、本発明はこの形態に限定されるものではなく、例えば、図９に示すように、９０度を超える角度で離間させたり、図１０に示すように、９０度未満の角度で離間させるようにしてもよい。
【００３２】
また、図１１に示すように、４つの突片を１８０度の角度範囲ないで等間隔に離間させることも可能である。
【００３３】
上記スリットの幅は、一対の弾性片４２がプラグシールド２２の内周に圧接する作用を失わなければ、変更可能とする。
【００３４】
更に、本実施形態では、各突片をシールドプレートへかしめ固定した例を示したが、本発明はこの形態に限定されるものではなく、例えば、突片を溶着により固定することもできる。
【符号の説明】
【００３５】
２０  アンテナプラグ
２１  プラグピン
２２  プラグシールド
４０  ソケットシールド
４１  スリット
４２  弾性片
４４  第１突片
４５  第２突片
４６  第３突片
５０  シールドプレート
５１  開口
５２  スロット
６０  絶縁ベース
６１  絶縁ソケット
６２  中心孔
７０  コンタクト
１００  アンテナソケット
【図１】
0005849185.tif 000002
【図２】
0005849185.tif 000003
【図３】
0005849185.tif 000004
【図４】
0005849185.tif 000005
【図５】
0005849185.tif 000006
【図６】
0005849185.tif 000007
【図７】
0005849185.tif 000008
【図８】
0005849185.tif 000009
【図９】
0005849185.tif 000010
【図１０】
0005849185.tif 000011
【図１１】
0005849185.tif 000012